(57)【要約】【課題】インフラ設備による供給物の使用実績データの収集を使用者に委託したときに、該使用者により使用実績データが改ざんされることを防止したシステムを提供する。【解決手段】暗号化画像データ生成手段３１は、供給者識別コードを第１の暗号鍵（ＥＮ＿ＫＥＹ１）で暗号化すると共に、使用者識別コードとガスの使用量を第２の暗号鍵（ＥＮ＿ＫＥＹ２）で暗号化した暗号化画像データ（ＣＩＰ＿ｄａｔ）を生成して、ディスプレイ３０に表示する。データセンタ７は、カメラ付き携帯電話５ｎにより撮像された撮像データ（ＩＭＧ＿ｄａｔ）を、第１の復号鍵で復号して供給者識別コードを抽出し、該供給者識別コードに応じた管理センタ８に撮像部分データ（ＩＭＰ＿ｄａｔ）を送信する。管理センタ８は、撮像部分データ（ＩＭＰ＿ｄａｔ）を第２の復号鍵（ＤＥ＿ＫＥＹ２）で復号して、使用者識別コードと使用実績データとを抽出する。【選択図】  図２
2004302687.tif 000002
【特許請求の範囲】
【請求項１】
ガス、電気、水道のうちの少なくとも１つが含まれるインフラ設備による供給物の使用実績データと該供給物の使用者を識別可能な使用者識別コードとを暗号化して画像データに変換した暗号化画像データを生成する暗号化画像データ生成手段と、該暗号化画像データを表示する暗号化画像表示手段とを有する使用実績表示器と、
前記供給物の使用者が、カメラ付き携帯端末により撮像して送信した前記暗号化画像データの表示画面の撮像データを、ネットワークを介して受信する撮像データ受信手段と、該撮像データを復号化して前記供給物の使用実績と前記使用者識別コードとを抽出する撮像データ復号化手段とを有するデータ収集装置、とを備えたことを特徴とするインフラ設備による供給物の使用実績収集システム。
【請求項２】
前記暗号化画像データ生成手段は、前記供給物の複数の供給者に対して共通に設定された第１の暗号鍵と、該複数の供給者に対して個別に設定された第２の暗号鍵のうちで表示対象とする供給物の供給者に対応した第２の暗号鍵とを使用可能であって、表示対象とする前記供給物の供給者を識別可能な供給者識別コードを前記第１の暗号化データを用いて暗号化すると共に、表示対象とする前記供給物の供給実績データと前記使用者識別データとを前記第２の暗号鍵を用いて暗号化する第１の暗号化処理と、前記供給者識別コードと前記使用者識別コードとを前記第１の暗号化データを用いて暗号化すると共に、表示対象とする前記供給物の供給実績データを前記第２の暗号鍵を用いて暗号化する第２の暗号化処理とのうちのいずれか一方の処理を行って、前記暗号化画像データを生成し、
前記撮像データ復号化手段は、前記第１の暗号鍵に対応した第１の復号鍵を管理し、前記撮像データに対して該第１の復号鍵を用いた復号化処理を行って、前記供給者識別コードを抽出し、該供給者識別コードにより識別された供給者の端末装置に、前記使用実績データに対応した前記撮像データの部分を含む撮像部分データを送信する撮像部分データ送信手段と、
前記第２の暗号鍵に対応した第２の復号鍵を管理し、前記供給者の端末装置により受信された前記撮像部分データに対して、該第２の復号鍵を用いた復号化処理を行って、前記使用実績データを抽出する使用実績抽出手段とからなることを特徴とする請求項１記載のインフラ設備による供給物の使用実績収集システム。
【請求項３】
前記暗号化画像データはバーコードを前記表示手段に表示するためのバーコード表示データであり、前記撮像データ復号化手段は、前記撮像データに含まれる該バーコードの撮像部分から認識される情報に基づいて前記復号化処理を行うことを特徴とする請求項１又は請求項２記載のインフラ設備による供給物の使用実績収集システム。
【発明の詳細な説明】
【０００１】
【発明の属する技術分野】
本発明は、インフラ設備により供給される供給物の使用実績データを収集するシステムに関する。
【０００２】
【従来の技術】
インフラ設備により供給される電気、ガス、水道等の供給物の使用量は、各家屋に設置された計測器により計測されて、計測値が該計測器の表示部に表示される。そして、ガス会社等の供給物の供給者は、検針員を訪問させて該計測値をチェックさせるか、或いは計測器と供給者のデータ管理センタを通信可能に接続して計測値のデータを受信することにより、供給物の使用実績を確認して料金徴収を行っている。
【０００３】
しかし、検針員により計測器の表示をチェックさせる場合は、検針員に対する人件費が必要であり、また、通信により計測値のデータを受信する場合には、通信機能の追加に伴って計測器のコストがアップするという不都合がある。
【０００４】
そこで、近年、急速に普及が進んでいるカメラ付き携帯電話により、計測器の表示部を撮像して、その撮像データを供給者のデータ管理センタに送信することを使用者に依頼することによって、供給物の使用実績を取得するようにしたシステムが提案されている（特許文献１）。
【０００５】
かかるシステムによれば、検針員の人件費が不要となると共に、使用者が所有するカメラ付き携帯電話及びその通信回線を用いることで、既存の計測器をそのまま使用して供給物の実績データを送信できるため、通信機能の追加による計測器のコスト上昇も生じない。
【０００６】
しかし、このように、使用者に供給物の使用実績データの収集と送信を依頼した場合、使用者によって実績データの撮像データが改ざんされるおそれがあり、この場合は正しい使用実績データを収集することができないという不都合がある。
【０００７】
【特許文献１】
特開２００１−２８０９９９号公報
【０００８】
【発明が解決しようとする課題】
本発明は上記不都合を解消し、インフラ設備による供給物の使用実績データの収集を該供給物の使用者に委託したときに、該使用者により使用実績データが改ざんされることを防止したシステムを提供することを目的とする。
【０００９】
【課題を解決するための手段】
上記目的を達成するため、本発明は、ガス、電気、水道のうちの少なくとも１つが含まれるインフラ設備による供給物の使用実績データと該供給物の使用者を識別可能な使用者識別コードとを暗号化して画像データに変換した暗号化画像データを生成する暗号化画像データ生成手段と、該暗号化画像データを表示する暗号化画像表示手段とを有する使用実績表示器と、前記供給物の使用者が、カメラ付き携帯端末により撮像して送信した前記暗号化画像データの表示画面の撮像データを、ネットワークを介して受信する撮像データ受信手段と、該撮像データを復号化して前記供給物の使用実績と前記使用者識別コードとを抽出する撮像データ復号化手段とを有するデータ収集装置、とを備えたことを特徴とする。
【００１０】
かかる本発明によれば、前記暗号化画像データ生成手段は、前記供給物の使用実績データと前記使用者識別コードとを暗号化して前記暗号化画像データを生成する。そして、前記暗号化画像表示手段は、前記暗号化画像データを表示するため、前記供給物の使用者は前記暗号化画像データを視認しても、前記供給物の使用実績を認識することができず、使用実績を改ざんすることができない。そのため、前記撮像データ受信手段により受信されたカメラ付き携帯端末による前記暗号化画像データの表示画面の撮像データを、前記撮像データ復号化手段により復号化して前記供給物の使用実績を抽出することによって、使用者による改ざんを防止して、前記供給物の使用実績を収集することができる。
【００１１】
また、前記暗号化画像データ生成手段は、前記供給物の複数の供給者に対して共通に設定された第１の暗号鍵と、該複数の供給者に対して個別に設定された第２の暗号鍵のうちで表示対象とする供給物の供給者に対応した第２の暗号鍵とを使用可能であって、表示対象とする前記供給物の供給者を識別可能な供給者識別コードを前記第１の暗号化データを用いて暗号化すると共に、表示対象とする前記供給物の供給実績データと前記使用者識別データとを前記第２の暗号鍵を用いて暗号化する第１の暗号化処理と、前記供給者識別コードと前記使用者識別コードとを前記第１の暗号化データを用いて暗号化すると共に、表示対象とする前記供給物の供給実績データを前記第２の暗号鍵を用いて暗号化する第２の暗号化処理とのうちのいずれか一方の処理を行って、前記暗号化画像データを生成し、前記撮像データ復号化手段は、前記第１の暗号鍵に対応した第１の復号鍵を管理し、前記撮像データに対して該第１の復号鍵を用いた復号化処理を行って、前記供給者識別コードを抽出し、該供給者識別コードにより識別された供給者の端末装置に、前記使用実績データに対応した前記撮像データの部分を含む撮像部分データを送信する撮像部分データ送信手段と、前記第２の暗号鍵に対応した第２の復号鍵を管理し、前記供給者の端末装置により受信された前記撮像部分データに対して、該第２の復号鍵を用いた復号化処理を行って、前記使用実績データを抽出する使用実績抽出手段とからなることを特徴とする。
【００１２】
かかる本発明によれば、前記暗号化画像データ生成手段は、前記第１の暗号化処理又は前記第２の暗号化処理により、前記供給者識別コードを前記第１の暗号鍵で暗号化すると共に、前記供給物の使用実績データを前記第２の暗号鍵で暗号化して前記暗号化画像データを生成する。
【００１３】
そして、前記撮像部分データ送信手段は、前記第１の復号鍵を用いた復号化処理を行って前記暗号化画像データから前記供給者識別コードを抽出して、該供給者識別コードにより識別された供給者の端末装置に、前記撮像部分データを送信する。これにより、前記撮像部分データ送信手段は、前記供給物の使用実績データの秘密性を保って、前記供給者識別コードにより識別される各供給者ごとに、前記撮像部分データを仕分けして送信することができる。そのため、前記撮像部分データ送信手段による処理において、各供給者は、他の供給者等に対して使用実績データが漏洩することを防止することができる。また、使用者は、前記供給物の供給者の異同にかかわらず、全ての前記暗号化画像データの送信先は１つだけ設定すればよく、各供給者ごとに前記暗号化画像データの送信先を設定する必要がなく使い勝手がよい。
【００１４】
そして、前記使用実績抽出手段は、前記第２の復号鍵を用いた復号化処理を行って前記撮像部分データから前記供給物の使用実績データを抽出する。この場合、前記使用実績データを取得することができるのは、前記第２の復号鍵を管理する前記使用実績抽出手段のみであるため、他の供給者等に使用実績データが漏洩することを確実に防止することができる。
【００１５】
また、前記暗号化画像データはバーコードを前記表示手段に表示するためのバーコード表示データであり、前記撮像データ復号化手段は、前記撮像データに含まれる該バーコードの撮像部分から認識される情報に基づいて前記復号化処理を行うことを特徴とする。
【００１６】
かかる本発明によれば、広く普及されて、撮像画像からの認識率も高いバーコード表示を用いることで、前記復号化処理により容易かつ確実に前記供給物の使用実績データを抽出することができる。
【００１７】
【発明の実施の形態】
本発明の実施の形態の一例について、図１〜図３を参照して説明する。図１は本発明のインフラ設備による供給物の使用実績収集システムの全体構成図、図２は図１に示した使用実績収集システムの詳細説明図、図３は供給者データテーブル及び使用者データテーブルの構成図である。
【００１８】
図１を参照して、本実施の形態の使用実績収集システムは、各家屋１（１ａ，１ｂ，…，１ｎ）に設けられたガスメータ２（２ａ，２ｂ，…，２ｎ、本発明の使用実績表示器に相当する）、電力メータ３（３ａ，３ｂ，…，３ｎ、本発明の使用実績表示器に相当する）、及び水道メータ４（４ａ，４ｂ，…，４ｃ、本発明の使用実績表示器に相当する）によりそれぞれ計測されるガス、電力、及び水道の使用実績のデータを、使用者に委託して収集する。
【００１９】
すなわち、使用者は、カメラ付き携帯電話５（５ａ，５ｂ，…，５ｎ、本発明のカメラ付き携帯端末に相当する）により、ガスメータ２、電力メータ３、及び水道メータ４に表示される使用量の画面を撮像し、その撮像データをネットワーク６を介してデータセンタ７に送信する。そして、データセンタ７は、カメラ付き携帯電話５から受信した撮像データを供給物の供給者ごとに分類して、ガスの使用実績データをガス会社の管理センタ７に送信し、電力の使用実績データを電力会社の管理センタ８に送信し、水道の使用実績データを水道局の管理センタ９に送信する。なお、データセンタ７、ガス会社の管理センタ８、電力会社の管理センタ９、及び水道局の管理センタ１０により、本発明のデータ収集装置が構成される。
【００２０】
次に、図２を参照して、ガスの使用実績データをガス会社の管理センタ８に送信する場合を例として、使用実績データの具体的な収集処理について説明する。
【００２１】
先ず、ガスメータ２ｎには、ディスプレイ３０（本発明の暗号化画像表示手段に相当する）と、暗号化画像データ生成手段３１と、第１の暗号鍵（ＥＮ＿ＫＥＹ１）及び第２の暗号鍵（ＥＮ＿ＫＥＹ２）を記憶したメモリ３２とが備えられている。ここで、第１の暗号鍵（ＥＮ＿ＫＥＹ１）はデータセンタ７から供与された公開鍵であり、第２の暗号鍵（ＥＮ＿ＫＥＹ２）はガス会社の管理センタ８から供与された公開鍵である。
【００２２】
そして、暗号化画像データ生成手段３１は、所定の時点（例えば月末最終日の２４時）におけるガスの累積使用量の計測値である使用実績データと、ガスの使用者を識別可能な使用者識別コードとを、第２の暗号鍵（ＥＮ＿ＫＥＹ２）を用いて暗号化する。また、暗号化画像データ生成手段３１は、ガス会社の供給者識別コード（本発明の供給者であるガス会社と電力会社と水道局を識別可能に設定される）を、第１の暗号鍵（ＥＮ＿ＫＥＹ１）を用いて暗号化する。そして、暗号化画像データ生成手段３１は、これらの暗号化により得られた暗号化データをバーコードに変換して、暗号化画像データ（ＣＩＰ＿ｄａｔ）を生成し、該暗号化画像データ（ＣＩＰ＿ＤＡＴ）をディスプレイ３０に表示する。
【００２３】
なお、暗号化画像データ生成手段３１により、第１の暗号鍵（ＥＮ＿ＫＥＹ１）を用いて供給者識別コードを暗号化すると共に、第２の暗号鍵（暗号化画像データ（Ｃ  ＩＰ＿ｄａｔ）を用いて使用実績データとガスの使用者を識別可能な使用者識別コードとを暗号化する処理が、本発明の第１の暗号化処理に相当する。
【００２４】
ここで、暗号化画像データ（ＣＩＰ＿ｄａｔ）は、２次元バーコードの形でディスプレイ３０に表示され、上段のバーコードは供給者識別コードの暗号化データに対応し、下段のバーコードは使用者識別コードと使用実績データの暗号化データに対応している。
【００２５】
このように、ディスプレイ３０に表示された暗号化画像データ（ＣＩＰ＿ＤＡＴ）のバーコード表示画面を、使用者は、カメラ付き携帯電話５ｎにより撮像し、撮像データ（ＩＭＧ＿ｄａｔ）をデータセンタ７に送信する。この場合、使用者は第１の暗号鍵（ＥＮ＿ＫＥＹ１）及び第２の暗号鍵（ＥＮ＿ＫＥＹ２）に対応した復号鍵をもっていないため、撮像データ（ＩＭＧ＿ｄａｔ）を復号して使用実績データを抽出することはできない。そのため、使用者による使用実績データの改ざんを防止することができる。
【００２６】
次に、データセンタ７は、通信インターフェース４０（本発明の撮像データ受信手段に相当する）と、撮像部分データ送信手段４３と、供給者データテーブル（ＳＵＰ＿ＴＢ）を記憶したデータベース４１と、第１の暗号鍵（ＤＥ＿ＫＥＹ１）が記憶されたメモリ４２とを備えている。
【００２７】
そして、通信インターフェース４０を介して、携帯電話５ｎから撮像データ（ＩＭＧ＿ｄａｔ）を受信すると、撮像部分データ送信手段４３は、上段のバーコード表示部の撮像データを第１の暗号鍵（ＤＥ＿ＫＥＹ１）を用いて復号化して、供給者識別コードを抽出する。
【００２８】
そして、撮像部分データ送信手段４３は、抽出した供給者識別コードを、データベース４１に記憶された供給者データテーブル（ＣＩＰ＿ｄａｔ）に適用する。図３（ａ）に示したように、供給者データテーブル（ＣＩＰ＿ｄａｔ）には、供給者識別コードと供給者と該供給者の管理センタの通信先アドレスとが関連付けられて記憶されている。
【００２９】
そのため、撮像部分データ送信手段４３は、供給者識別コードを供給者データテーブル（ＣＩＰ＿ｄａｔ）に適用することによって、該供給者識別コードに対応した通信先アドレスを取得することができる。図２の例では、ガス会社の管理センタ８の通信アドレス（ＮＡＤ＿００１）が取得され、撮像部分データ送信手段４３は、撮像データ（ＩＭＧ＿ｄａｔ）のうち、下側のバーコード部分の画像データを含む撮像部分データ（ＩＭＰ＿ｄａｔ）を、ガス会社の管理センタ８に送信する。
【００３０】
このように、データセンタ７においては、供給者別に使用者コードと使用実績データの送信先を仕分ける処理が、使用実績データが暗号化された状態を維持して行われる。そのため、データセンタ７及びデータセンタ７と各管理センタ（ガス会社の管理センタ８、電力会社の管理センタ９、水道局の管理センタ）間の通信径路において、使用実績データが漏洩することが防止される。
【００３１】
次に、ガス会社の管理センタ８は、通信インターフェース５０と、使用者データテーブル（ＵＳＲ＿ＴＢ）を記憶したデータベース５１と、第２の暗号鍵（ＥＮ＿ＫＥＹ２）に対応した第２の復号鍵（ＤＥ＿ＫＥＹ２）を記憶したメモリ５２と、使用実績抽出手段５３と、使用実績異常確認手段５４と、料金請求手段５５とを備えている。
【００３２】
そして、使用実績抽出手段５３は、撮像部分データ（ＩＭＰ＿ｄａｔ）のバーコード表示部分から読み取ったデータを、第２の復号鍵（ＤＥ＿ＫＥＹ２）を用いて復号化することにより、使用者識別コード（ＵＳＲ＿ＩＤ）とガスの使用実績データ（ＣＯＮ＿ｄａｔ）とを抽出する。
【００３３】
ここで、使用者データテーブル（ＵＳＲ＿ＴＢ）には、図３（ｂ）に示したように、使用者識別コードに関連付けて、使用者データ、過去の使用実績データ、計測状況、入金状況等のデータが記憶されている。
【００３４】
使用実績異常確認手段５４は、使用者識別データ（ＵＳＲ＿ＩＤ）を使用者データテーブル（ＵＳＲ＿ＴＢ）に適用して、過去の使用実績データを取得し、該過去の使用実績データと今回の使用実績データ（ＣＯＮ＿ｄａｔ）とを比較する。そして、両者の差が極端に大きい等の異常が確認されるときは、ガスメータ２ｎの故障や通信異常等が発生したことが考えられるため、異常を報知する処理を実行する。
【００３５】
一方、使用者実績異常確認手段５４により、使用実績データ（ＣＯＮ＿ｄａｔ）の異常が発見されなかったときには、料金請求手段５５により、ガス使用量と料金を通知する電子メール（ＣＨＧ＿ｍａｉｌ）が使用者の携帯電話２ｎに送信される。使用者は、該電子メール（ＣＨＧ＿ｍａｉｌ）で送信されたＵＲＬにアクセスすることにより、ガス料金の支払処理を行うことができる。
【００３６】
また、料金請求手段５５は、使用者データテーブル（ＵＳＲ＿ＴＢ）を監視し、料金の徴収が済んでいない使用者に対して、支払いを督促する電子メールを送信し、暗号化画像データ（ＩＭＧ＿ｄａｔ）の送信処理が済んでいない使用者に対しては、送信を促がす電子メールを送信する。
【００３７】
同様にして、使用者が、電力メータ３のディスプレイに表示された暗号化画像データ（ＣＩＰ＿ｄａｔ）を撮像して送信したときは、電力会社の管理センタ９において電力の使用実績データが抽出され、水道メータ４のディスプレイに表示された暗号化画像データ（ＣＩＰ＿ｄａｔ）を撮像して送信したときには、水道局の管理センタ１０において水道の使用実績データが抽出される。
【００３８】
なお、本実施の形態では、データセンタ７により、供給者の管理センタに対して使用実績データを分配したが、データセンタ７を設けずに、使用者の携帯電話５から直接各管理センタに対して撮像データを送信するようにしてもよい。この場合には、各管理センタの通信アドレスを指定して送信する必要があり、また、、撮像データの暗号化と復号化に用いる暗号鍵と復号鍵の組を、各供給者ごとに設定する必要がある。
【００３９】
また、本実施の形態では、暗号化画像データ（ＣＩＰ＿ｄａｔ）として、バーコードを表示するものを用いたが、本発明の暗号化画像データはこれに限られず、カメラ付き携帯端末による撮像データから抽出可能な表示形式であればよい。
【００４０】
また、本実施の形態では、暗号化画像データ生成手段３１により、第１の暗号鍵（ＥＮ＿ＫＥＹ１）を用いて供給者識別コードを暗号化すると共に、第２の暗号鍵（暗号化画像データ（ＣＩＰ＿ｄａｔ）を用いて使用実績データとガスの使用者を識別可能な使用者識別コードとを暗号化したが、第１の暗号鍵（ＥＮ＿ＫＥＹ１）を用いて供給者識別コードと使用者識別コードとを暗号化すると共に、第２の暗号鍵（暗号化画像データ（ＣＩＰ＿ｄａｔ）を用いて使用実績データを暗号化してもよい（本発明の第２の暗号化処理に相当する）。この場合は、使用者識別コードの復号化処理がデータセンタ７で行われる。
【図面の簡単な説明】
【図１】本発明のインフラ設備による供給物の使用実績収集システムの全体構成図。
【図２】図１に示した使用実績収集システムの詳細説明図。
【図３】供給者供給者データテーブル及び使用者データテーブルの構成図。
【符号の説明】
１…家屋、２…ガスメータ、３…電力メータ、４…水道メータ、５…カメラ付き携帯電話、６…ネットワーク、７…データセンタ、８…ガス会社の管理センタ、９…電力会社の管理センタ、１０…水道局の管理センタ、３０…ディスプレイ、３１…暗号化画像データ生成手段、４３…撮像部分データ送信手段、５３…使用実績抽出手段
【図１】
2004302687.tif 000003
【図２】
2004302687.tif 000004
【図３】
2004302687.tif 000005